(57)【特許請求の範囲】
【請求項１】
それぞれ複数の端末を収容した複数のＡＴＭノードを無線回線を介して接続したＡＴＭ通信システムにおいて、
前記ＡＴＭノードは、
前記無線回線を伝送される伝送フレームのフレーム同期を検出するフレーム同期検出手段と、
前記フレーム同期検出手段を通過した伝送フレームに含まれるセルのセル同期を検出するセル同期検出手段と、
前記セル同期検出手段を通過したセルのヘッダのヘッダ誤りを検出するヘッダ誤り検出手段と
を具備し、
前記ヘッダ誤り検出手段は、
前記セルのヘッダ誤りの有無を検出する検出手段と、
前記検出手段によりヘッダ誤りが無いと検出された回数を計数する計数手段と、
前記検出手段により前記セルのヘッダ誤りが検出されると、ヘッダ誤りが有りと検出されたセルおよびヘッダ誤りが無いと検出されたセルのいずれのセルも廃棄する保護モードに切り替え、前記計数手段の計数値が予め設定された所定値に達すると、ヘッダ誤りが検出されたセルのみ廃棄する通常モードに復帰するモード切換手段と
を具備することを特徴とするＡＴＭ通信システム。
【請求項２】
前記セル同期検出手段は、
セル同期が検出できない場合は、該セル内のデータを廃棄して該セル同期を維持する空セルを挿入することを特徴とする請求項１記載のＡＴＭ通信システム。
【請求項３】
前記フレーム同期検出手段は、
フレーム同期が検出できない場合は、該フレーム内のデータを廃棄して該フレーム同期を維持する空フレームを挿入することを特徴とする請求項１記載のＡＴＭ通信システム。
【請求項４】
前記フレーム同期検出手段は、
ＢＩＰエラーを計数する計数手段
を具備し、
前記計数手段の計数値が予め設定した設定値を越えた場合は、該フレーム内のデータを廃棄して該フレーム同期を維持する空フレームを挿入することを特徴とする請求項１記載のＡＴＭ通信システム。
【請求項５】
それぞれ複数の端末を収容した複数のＡＴＭノードを無線回線を介して接続し、前記ＡＴＭノードにおけるＡＴＭアダプテーションレイヤプロトコルとしてタイプ５を用いるＡＴＭ通信システムにおいて、
前記ＡＴＭノードは、
前記無線回線に送信する伝送フレームに挿入する空セルのヘッダに最終セルであることを示す識別子を挿入する挿入手段
を具備することを特徴とするＡＴＭ通信システム。
【請求項６】
前記挿入手段は、
前記無線回線に送信する伝送フレームに挿入する空セルのヘッダのペイロード種別識別子のＬＳＢを“１”に設定する
ことを特徴とする請求項５記載のＡＴＭ通信システム。
【発明の詳細な説明】
【０００１】
【発明の属する技術分野】
この発明は、ＡＴＭ通信システムに関し、特に、回線エラーが多い通信を行う場合の多いＡＴＭ通信ネットワークシステムに関する。
【０００２】
【従来の技術】
最近、音声、データ、映像などを組み合わせたマルチメディア通信に適し、資源の効率化を図れる等のメリットを有するＡＴＭ通信方式を用い、公衆網や企業網を構築するケースが増えてきている。そして、こういったネットワークの構築において、光ファイバの設置場所、コスト等を考慮し、伝送媒体として無線を利用する場合ができてきた。
【０００３】
図１２は、この種のＡＴＭ通信システムの全体構成を示すブロック図である。この図１２に示すＡＴＭ通信システムは、複数のＡＴＭノード１０−１、１０−２、１０−３、１０−４を無線回線を介してネットワークを構築し、複数のＡＴＭノード１０−１〜１０−４のうちの１つのＡＴＭノード１０−１には、各ＡＴＭノード１０−１〜１０−４の制御、監視を行うことにより、ネットワーク全体の管理を行うネットワーク管理装置４０を接続して構成される。
【０００４】
ここで、ＡＴＭノード１０−１は、複数の端末２０−１−１〜２０−１−ｍを収容するとともに、無線装置３０−１−１、３０−１−２、３０−１−３が光ファイバにより接続されており、この無線装置３０−１−１、３０−１−２、３０−１−３を介して他のＡＴＭノードと接続されている。
【０００５】
また、ＡＴＭノード１０−２は、複数の端末２０−２−１〜２０−２−ｎを収容するとともに、無線装置３０−２−１が光ファイバにより接続されており、この無線装置３０−２−１を介してＡＴＭノード１０−１と接続されている。
【０００６】
また、ＡＴＭノード１０−３は、複数の端末２０−３−１〜２０−３−ｏを収容するとともに、無線装置３０−３−１、３０−３−２が光ファイバにより接続されており、この無線装置３０−３−１を介してＡＴＭノード１０−１と接続されるとともに、無線装置３０−３−２を介してＡＴＭノード１０−４と接続されている。
【０００７】
また、ＡＴＭノード１０−４は、複数の端末２０−４−１〜２０−４−ｐを収容するとともに、無線装置３０−４−１が光ファイバにより接続されており、この無線装置３０−４−１を介してＡＴＭノード１０−３と接続されている。
【０００８】
ここで、端末２０−１−１〜２０−１−ｍは、ＡＴＭノード１０−１を介して他の端末とデータの送受を行い、端末２０−２−１〜２０−２−ｎは、ＡＴＭノード１０−２を介して他の端末とデータの送受を行い、端末２０−３−１〜２０−３−ｏは、ＡＴＭノード１０−３を介して他の端末とデータの送受を行い、端末２０−４−１〜２０−４−ｐは、ＡＴＭノード１０−４を介して他の端末とデータの送受を行う。
【０００９】
例えば、端末２０−１−１から送信されたデータは、ＡＴＭノード１０−１でセルに組み立てられ、他の端末から送信されたセル流と合流し、ネットワーク上を伝送される。
【００１０】
また、このセルは、ＡＴＭノード間の無線回線上では伝送フレームに乗せられ、送受信される。
【００１１】
また、この伝送フレームに乗せられたセルは、あて先のＡＴＭノード、例えばＡＴＭノード１０−３でセル分解され、組み立てられたデータは相手端末、例えば端末２０−３−１で受信される。
【００１２】
このようなＡＴＭ通信システムにおいて、コンピュータのような端末間でのデータ通信ではＡＴＭアダプテーションレイヤプロトコルとしてはＡＡＬ５が利用される。
【００１３】
図１３は、図１２に示したＡＴＭノード１０−１〜１０−４の内部構成をＡＴＭノード１０として示したものである。
【００１４】
図１３において、ＡＴＭノード１０は、セルスイッチ１１、装置制御部１２、端末インタフェース部１３−１〜１３−Ｍ、ノードインタフェース部１４−１〜１４−Ｎを具備して構成される。
【００１５】
ここで、端末インタフェース部１３−１〜１３−Ｍは、端末２０からのデータをＡＡＬ５を用いてセル組立してセルスイッチ１１ヘ渡す機能およびセルスイッチ１１からのセルをＡＡＬ５を用いて分解し、データとして端末２０ヘ渡す機能を有している。
【００１６】
また、ノードインタフェース部１４−１〜１４−Ｎは、送信部１４１および受信部１４２を有しており、送信部１４１は、伝送フレームの生成、セルの伝送フレームへのマッピング等の機能を有しており、受信部１４２は、伝送フレームからのセルの抽出機能等を有している。
【００１７】
セルスイッチ１１は、ノードインタフェース部１４−１〜１４−Ｎの受信部１４２から入力されたセル、装置制御部１２から入力されたセル、端末インタフェース部１３−１〜１３−Ｍから入力されたセルを、そのセルの宛先にしたがってノードインタフェース部１４−１〜１４−Ｎの送信部１４１、装置制御部１２、端末インタフェース部１３−１〜１３−Ｍヘ出力する。
【００１８】
図１４は、図１２のＡＴＭ伝送システムでＡＴＭノード間で伝送される伝送フレームの構造を示す図である。
【００１９】
図１２のＡＴＭ伝送システムでＡＴＭノード間で伝送される伝送フレームは、９オクテット×９行のセクションオーバーヘッド（ＳＯＨ）と、１オクテット×９行のパスオーバーヘッド（ＰＯＨ）と、２６０オクテット×９行のペイロードからなり、上記セルは、２６０オクテット×９行のペイロードに収容される。
【００２０】
ここで、図１３に示したノードインタフェース部１４−１〜１４−Ｎの送信部１４１では、上記伝送フレームのペイロードの速度と伝送するセル流の速度が異なっている場合、伝送フレームのペイロードの速度に合わせるために空セルを挿入する。
【００２１】
逆に、図１３に示したノードインタフェース部１４−１〜１４−Ｎの受信部１４２では、伝送フレームのペイロードからセルを抽出するが、空セルについては破棄されて後段のセルスイッチ１１には送らない。
【００２２】
図１５は、図１２に示したＡＴＭ通信システムで採用されるユーザ網インタフェースにおけるセル構造を示す図である。
【００２３】
図１５において、ユーザ網インタフェース（ＵＮＩ）におけるセル構造は、４ビットのＧＦＣ（Generic Flow Control）、８ビットのＶＰＩ（Virtual Path Identifier）、１６ビットのＶＣＩ（Virturl Channel Identifier）、３ビットのＰＴＩ（Payload Type Identifier）、１ビットのＣＬＰ（Cell Loss Priority）、８ビットのＨＥＣ（Header Error Control）からなる５バイトのヘッダおよび４８バイトのペイロードから構成されている。
【００２４】
図１６は、図１２に示したＡＴＭ通信システムで採用されるネットワークノードインタフェースにおけるセル構造を示す図である。
【００２５】
図１６において、ネットワークノードインタフェース（ＮＮＩ）におけるセル構造は、１２ビットのＶＰＩ、１６ビットのＶＣＩ、３ビットのＰＴＩ、１ビットのＣＬＰ、８ビットのＨＥＣからなる５バイトのヘッダおよび４８バイトのペイロードから構成されている。
【００２６】
ここで、ＶＰＩ／ＶＣＩはセル転送経路を表わす識別子である。また、ＰＴＩはペイロードに含まれているデータの情報種別を表わす識別子で、ＰＴＩのＭＳＢ（Most Significant Bit）が“０”のとき、ユーザ情報セルであることを表わし、ＰＴＩのＬＳＢ（Least Significant Bit）は、ＡＡＬ５でのみ利用されるビットで、“０”でＡＡＬ５非最終セル、“１”でＡＡＬ５最終セルを表わしている。
【００２７】
ＨＥＣは、前４オクテットから算出される値で、ヘッダ誤り制御やセル同期に用いられる。なお、このヘッダ誤り制御では、セルヘッダに対して１ビット誤りの訂正および複数のビットの誤り検出が可能になっている。
【００２８】
図１７は、図１２に示したノードインタフェース部１４−１〜１４−Ｎの受信部１４２におけるエラーチェック構成を示すブロック図である。
【００２９】
図１２に示した対向ＡＴＭノードから受信した伝送フレーム（回線フレーム）は、まず、ノードインタフェース部１４−１〜１４−Ｎの受信部１４２のフレーム同期チェック部１４２１でフレーム同期のチェックが行われ、次に、セル同期チェック部１４２２でセル同期のチェックが行われる。
【００３０】
その後、ヘッダ誤りチェック部１４２３で、図１５および図１６に示したＨＥＣによるヘッダ誤りチェックが行われる。
【００３１】
ここで、ヘッダ誤りがなければこのセルをセルスイッチ１１へ通過させる。
【００３２】
【発明が解決しようとする課題】
しかし、上記構成において、回線フレームの品質が悪い場合には、複数ビット誤りを含むことが原因でＨＥＣによるエラーチェックで検出できない誤セルがセルスイッチ１１へ流入する可能性が高い。
【００３３】
また、回線フレームの品質が悪い場合には、セル同期外れが頻繁に発生し、再度同期までの間に正常なセルが大量に落ちてしまうという問題がある。
【００３４】
また、回線フレームの品質が悪い場合には、フレーム同期外れが頻繁に発生し、再度同期までの間に正常なフレームが大量に落ちてしまうという問題があリ、また、ＢＩＰ（Bit Interleaved Parity）エラー表示を含む異常フレームが大量に通過してしまうという問題も発生する。
【００３５】
そこで、この発明は、回線フレームの品質が悪い場合に、セルヘッダに複数ビットの誤りを含むことが原因でＨＥＣによるエラーチェックができない誤セルがセルスイッチへ流入する確率を大幅に減少したＡＴＭ通信システムを提供することを目的とする。
【００３６】
また、この発明は、回線フレームの品質が悪い場合に、セル同期の再同期までの間の正常なセルが大量に落ちてしまうことを防止したＡＴＭ通信システムを提供することを目的とする。
【００３７】
また、この発明は、回線フレームの品質が悪い場合に、フレーム同期の再同期までの間の正常なフレームが大量に落ちてしまうことを防止したＡＴＭ通信システムを提供することを目的とする。
【００３８】
また、この発明は、回線フレームの品質が悪い場合に、誤ったデータを含むフレームの通過を防止したＡＴＭ通信システムを提供することを目的とする。
【００３９】
また、この発明は、空セルが有効セルに化けた誤挿入をＡＴＭアダプテーションレイヤにおいて速やかに検出して廃棄することにより、正常なデータの廃棄を低減したＡＴＭ通信システムを提供することを目的とする。
【００４０】
【課題を解決するための手段】
この発明のＡＴＭ通信システムは、それぞれ複数の端末を収容した複数のＡＴＭノードを無線回線を介して接続したＡＴＭ通信システムにおいて、前記ＡＴＭノードは、前記無線回線を伝送される伝送フレームのフレーム同期を検出するフレーム同期検出手段と、前記フレーム同期検出手段を通過した伝送フレームに含まれるセルのセル同期を検出するセル同期検出手段と、前記セル同期検出手段を通過したセルのヘッダのヘッダ誤りを検出するヘッダ誤り検出手段とを具備し、前記ヘッダ誤り検出手段は、前記セルのヘッダ誤りの有無を検出する検出手段と、前記検出手段によりヘッダ誤りが無いと検出された回数を計数する計数手段と、前記検出手段により前記セルのヘッダ誤りが検出されると、ヘッダ誤りが有りと検出されたセルおよびヘッダ誤りが無いと検出されたセルのいずれのセルも廃棄する保護モードに切り替え、前記計数手段の計数値が予め設定された所定値に達すると、ヘッダ誤りが検出されたセルのみ廃棄する通常モードに復帰するモード切換手段とを具備することを特徴とする。
【００４１】
ここで、前記セル同期検出手段は、セル同期が検出できない場合は、該セル内のデータを廃棄して該セル同期を維持する空セルを挿入することを特徴とする。
【００４２】
また、前記フレーム同期検出手段は、フレーム同期が検出できない場合は、該フレーム内のデータを廃棄して該フレーム同期を維持する空フレームを挿入することを特徴とする。
【００４３】
また、前記フレーム同期検出手段は、ＢＩＰエラーを計数する計数手段を具備し、前記計数手段の計数値が予め設定した設定値を越えた場合は、該フレーム内のデータを廃棄して該フレーム同期を維持する空フレームを挿入することを特徴とする。
【００４４】
また、この発明のＡＴＭ通信システムは、それぞれ複数の端末を収容した複数のＡＴＭノードを無線回線を介して接続し、前記ＡＴＭノードにおけるＡＴＭアダプテーションレイヤプロトコルとしてタイプ５を用いるＡＴＭ通信システムにおいて、前記ＡＴＭノードは、前記無線回線に送信する伝送フレームに挿入する空セルのヘッダに最終セルであることを示す識別子を挿入する挿入手段を具備することを特徴とする。
【００４５】
ここで、前記挿入手段は、前記無線回線に送信する伝送フレームに挿入する空セルのヘッダのペイロード種別識別子のＬＳＢを“１”に設定することを特徴とする。
【００４６】
【発明の実施の形態】
以下、この発明に係わるＡＴＭ通信システムの実施の形態を添付図面を参照して詳細に説明する。
【００４７】
図１は、この発明に係わるＡＴＭ通信システムの一実施の形態の要部を示すブロック図である。
【００４８】
図１においては、図１３に示したノードインタフェース部１４−１〜１４−Ｎの受信部１４２に設けられるエラーチェック構成の詳細を示す。このエラーチェック構成においては、受信した回線フレームのフレーム同期をチェックするフレーム同期チェック部１１０と、フレーム同期チェック部１１０を通過した回線フレーム内に挿入されたセル（ＡＴＭセル）のセル同期をチェックするセル同期チェック部１２０、セル同期チェック部１２０を通過したセルのＨＥＣに基づき該セルのヘッダ誤りを制御してセルスイッチ１４０に送出するヘッダ誤り制御部１３０を具備して構成される。ここで、セルスイッチ１４０は、図１３に示したセルスイッチ１１に対応する。
【００４９】
上記構成において、この実施の形態においては、まず、ヘッダ誤り制御部１３０が次の２つのモードを輸している。
【００５０】
その１つは、通常モードで、この通常モードにおいては、ＨＥＣに基づき該セルのヘッダ誤りが無いと検出されると、このセルはセルスイッチ１４０へ通過させるが、ＨＥＣに基づき該セルのヘッダ誤りが有りと検出されると、このセルはセルスイッチ１４０へ通過させることなく廃棄される。
【００５１】
他の１つは、保護モードで、この保護モードでにおいては、ＨＥＣに基づき該セルのヘッダ誤り無しとして検出されたセルとヘッダ誤り有りと検出されたセルの両者をともに廃棄する。
【００５２】
そして、上記ヘッダ誤り制御部１３０は、図１に示すように、ＨＥＣに基づき該セルのヘッダ誤りの有無を検出して該セルをセルスイッチ１４０へ通過させるか廃棄するかの制御を行うヘッダ誤り検出制御部１３１、ヘッダ誤り検出制御部１３１でヘッダ誤り無しとして検出されたセルの数を計数するヘッダ正常カウンタ１３２、ヘッダ正常カウンタ１３２の計数値に基づきヘッダ誤り検出制御部１３１の動作モードを制御するモード切換制御部１３３を具備しており、ヘッダ正常カウンタ１３２の計数値に基づき上記通常モードと保護モードとを切換制御する。
【００５３】
すなわち、モード切換制御部１３３は、図２に示すように、ヘッダ誤り検出制御部１３１で、１回でもヘッダ誤り有りと検出されたと判断すると、通常モードから保護モードに遷移するように切り換え、ヘッダ誤り検出制御部１３１で、連続して所定回数ｎ回ヘッダ誤り無しと検出されると、上記保護モードから通常モードヘ復帰するように切り換える。
【００５４】
一般に、回線フレームが通常の品質ならばヘッダ誤り制御部１３０では上記正常モードのヘッダ誤りのチェックのみでよいが、この発明の対象とするＡＴＭ通信システムのように回線フレームの品質が悪い場合は、セルのヘッダの複数のビット誤りによりヘッダが正常に見えるセルも多数入ってくるため、この実施の形態においては、上記正常モードに加えて保護モードを設け、この保護モードにおいてはヘッダ正常カウンタ１３２で正常セルを計数して、回線の品質が安定してから通常モードに復帰するように構成したものであり、これにより、複数ビット誤りによりヘッダが正常に見える誤セルがセルスイッチ１４０へ流入する確率を大幅に下げることが可能になる。
【００５５】
なお、保護モードから正常モードへ復帰するタイミング、すなわち保護レベル（保護段数）ｎは、回線品質に対応して適宜設定することができる。
【００５６】
図３は、上記保護段数ｎと回線品質との関係を示した図である。
【００５７】
図３においては、保護段数ｎとして、「１」、「２」、「４」、「８」が選択できるようになっており、回線品質が良方向に移動するにしたがって保護段数ｎを小さな値に選択し、回線品質が悪方向に移動するにしたがって保護段数ｎを大きな値に選択する。
【００５８】
また、この実施の形態のＡＴＭ通信システムにおいては、図１に示したセル同期チェック部１２０において、同期ビットが検出できない場合は、このセル同期を保護しつつ空セルを挿入し、該セル内のデータのみを廃棄する。
【００５９】
このような構成によると、セル同期が検出できない場合におけるセル同期の再同期きまでの間に正常なセルが大量に落ちてしまうことを防止することが可能になる。
【００６０】
また、この実施の形態のＡＴＭ通信システムにおいては、図１に示したフレーム同期チェック部１１０において、同期ビットが検出できない場合は、このフレーム同期を保護しつつ空フレームを挿入し、該フレーム内のデータのみを廃棄する。
【００６１】
このような構成によると、フレーム同期が検出できない場合におけるフレーム同期の再同期までの間に正常なフレームが大量に落ちてしまうことを防止することが可能になる。
【００６２】
また、この実施の形態のＡＴＭ通信システムにおいては、図１に示したフレーム同期チェック部１１０において、ＢＩＰ（Bit Interleaved Parity）エラーを検出し、このＢＩＰエラーを計数することで、この計数値が予め設定したしきい値を越えると、このフレーム同期を保護しつつ空フレームを挿入し、該フレーム内のデータのみを廃棄する。
【００６３】
このような構成によると、フレーム同期チェック部１１０において誤ったデータを含むフレームが通過するのを防止することができる。
【００６４】
さて、この実施の形態のＡＴＭ通信システムにおいては、図１２に示したＡＴＭノード１０−１〜１０−４においてＡＴＭアダプテーションレイヤプロトコルとしてＡＡＬ５が利用されている。
【００６５】
ここで、ＡＴＭアダプテーションレイヤプロトコルのＡＡＬ５においてはＳＡＲ（Segmentation And Reassemdly sublayer）において、図４に示すように、最終セルを受信した後、次に受信したセルを先頭セルと判断し、セル分解が行われてＣＰＣＳ−ＰＤＵ（Common Part Convergence Sublayer-Protocol Data Unit）が生成される。そしてＣＳ（Convergence Sublayer）共通部にてＣＰＣＳ−ＰＤＵの誤り検出が行われ、さらに上位のレイヤでユーザデータが復元される。
【００６６】
なお、最終セルの判別は、上述したようにＰＴＩ（Payload Type Identifier）により行われ、ＰＴＩのＬＳＢ（Least Significant Bit）が“０”であると非最終セルと判別し、“１”であると、最終セルであると判別する。
【００６７】
また、図１３に示したように、ノードインタフェース部１４−１〜１４−Ｎの送信部１４１では、伝送フレームのペイロードの速度と伝送するセル流の速度が異なっている場合、伝送フレームのペイロードの速度に合わせるために空セルを挿入するように構成されており、逆に、ノードインタフェース部１４−１〜１４−Ｎの受信部１４２では、伝送フレームのペイロードからセルを抽出するが、空セルについては破棄して後段のセルスイッチ１１には送らないように構成されている。
【００６８】
伝送フレームに挿入される空セルは、ユーザ網インタフェース（ＵＮＩ）におけるセル構造をとる場合、ヘッダ部分のＧＦＣが“００００”、ＶＰＩが“００００００００”、ＶＣＩが“００００００００００００００００”ＰＴＩが“０００”、ＣＬＰが“１”、ＨＥＣが“０１０１００１０”となっており、セルペイロード部分は“０１１０１０１０”のパターンの繰り返しで埋められている。
【００６９】
また、ネットワークノードインタフェース（ＮＮＩ）におけるセル構造をとる場合の空セルは、ＧＦＣはないので、ＶＰＩが“００００００００００００”となり、その他の構成はユーザ網インタフェース（ＵＮＩ）における空セルと同様である。
【００７０】
ところで、ＡＴＭは、伝送品質の優れた光ファイバを伝送媒体として使用することを前提に考えられている技術であるが、この発明の対象とするＡＴＭ通信システムのように一部に伝送品質の悪い無線伝送回線を用いると、降雨時等においてはＡＴＭのセルヘッダ誤り検出機能では不充分な場合があり、セルの誤挿入が大きくなる可能性がある。
【００７１】
具体的には、無線区間で発生したビットエラーにより空セルが見かけ上有効セルとなってしまい、端末間通信のデータに紛れ込んでしまう可能性が考えられる。すなわち、空セルのセルヘッダのＶＰＩ／ＶＣＩが通信に利用している値と同じ値に化け、ＨＥＣフィールドも正しい値に化けてしまったときは、空セルが見かけ上有効セルとなってしまう。
【００７２】
例えば、図５に示すように、ノード１００とノード２００との間でＶＰＩ＝０、ＶＣＩ＝１に設定して通信を行っている場合に、ＶＰＩ＝０、ＶＣＩ＝０の空セルをノード１００で挿入した場合、セルヘッダがＶＰＩ＝０、ＶＣＩ＝１の有効セルは、ノード１００および１００を介して他の端末または他のノードへ伝送されるが、ノード１００で挿入された空セルはノード２００で廃棄される。
【００７３】
しかし、図６に示すように、ノード１００で挿入されたＶＰＩ＝０、ＶＣＩ＝０の空セルのヘッダが有効セルと同じＶＰＩ＝０、ＶＣＩ＝１に化けてしまった場合を考えると、この化けた空セルはノード２００において有効セルと判断され、本来のＶＰＩ＝０、ＶＣＩ＝１の有効セルに混入して他の端末または他のノードへ伝送されてしまう。
【００７４】
図７は、上記セル誤挿入がおきた場合のＡＡＬ５での影響を示す図である。
【００７５】
空セルのＰＴＩフィールドは“０００”となっているため、空セルが有効セルに化けた場合、このセルのＰＴＩフィールドのＬＳＢは“０”、つまり非最終セルとなる場合が多い。
【００７６】
しかし、ＡＡＬ５では、セル単位の誤り訂正機能が無く、先に述べたようなセル分解の仕組みにより、本体正常なデータを載せたセルと結合されてしまう。そして、セル分解が行われた後、データ誤りが検出され、該データが廃棄される結果となる。
【００７７】
そこで、以下に説明するこの発明の他の実施の形態では、このようなＡＡＬ５を利用して通信を行うＡＴＭ通信システムにおいて、上記ビットエラーによって空セルが有効セルに化けてしまった場合の正常なデータの廃棄の確率を低減する手法を説明する。
【００７８】
図８は、上記この発明の他の実施の形態におけるノード内部の構成を示す図である。なお、この図８に示すノード構成は、図１３に示したノード構成と対応しており、図８においては、図１３に示したノード構成と同様の機能を果たす部分には説明の便宜上図１３で用いた符号と同一の符号を付する。
【００７９】
図８に示したノード構成において、図１３に示したノード構成と異なるのは、ノードインタフェース部１４−１〜１４−Ｎの送信部１４１に装置制御部１２からの信号により伝送フレームに挿入する空セルのセルヘッダのＰＴＩフィールドのＬＳＢを“０”とするか、“１”とするかを選択できるようにした点である。
【００８０】
また、ノードインタフェース部１４−１〜１４−Ｎの受信部１４２では、伝送フレームからセルを抽出する際に、本来の空セルパターンの他に、セルヘッダのＰＴＩフィールドのＬＳＢが“１”であっても、空セルとして判断するように構成されている。
【００８１】
この実施の形態においては、伝送品質が低い伝送路を用いる場合は、装置制御部１２からのＰＴＩのＬＳＢの指定信号により、ノードインタフェース部１４−１〜１４−Ｎの送信部１４１で伝送フレームに挿入する空セルのセルヘッダのＰＴＩフィールドのＬＳＢを“１”として送信する。
【００８２】
図９は、図８に示した実施の形態における正常時のノード間のデータ伝送の一例を示す図である。
【００８３】
図９においては、ノード１００とノード２００との間でＶＰＩ＝０、ＶＣＩ＝１に設定して通信を行っている場合に、ＶＰＩ＝０、ＶＣＩ＝０の空セルをノード１００で挿入した場合を示している。
【００８４】
この場合、端末または他のノードからのセルヘッダがＶＰＩ＝０、ＶＣＩ＝１の有効セルは、ノード１００および２００を介して他の端末または他のノードへ伝送される。
【００８５】
また、ノード１００で挿入された空セルはノード２００で廃棄される。ここで、空セルのセルヘッダのＰＴＩフィールドのＬＳＢは“１”となっている。
【００８６】
図１０は、図８に示した実施の形態における空セルが有効セルに化けた場合のノード間のデータ伝送の一例を示す図である。
【００８７】
図１０においては、ビットエラーが多発し、ノード１００で挿入されたＶＰＩ＝０、ＶＣＩ＝０の空セルのヘッダが有効セルと同じＶＰＩ＝０、ＶＣＩ＝１に化けてしまった場合を示している。この場合、この化けた空セルはノード２００において有効セルと判断され、本来のＶＰＩ＝０、ＶＣＩ＝１の有効セルに混入して他の端末または他のノードへ伝送される。ここで、化けた空セルのセルヘッダのＰＴＩフィールドのＬＳＢは“１”となっている。
【００８８】
図１１は、図１０に示したようなセル誤挿入が起きたときのＡＡＬ５での動作を示す図である。
【００８９】
図１１において、誤挿入された化けた空セルのセルヘッダのＰＴＩフィールドのＬＳＢは、図１０に示したように“１”となっている。
【００９０】
そこで、ＡＡＬ５では、この化けた空セルを最終セルであると判断し、ＳＡＲにて速やかにセル分解の処理が行われ、ＣＰＣＳ−ＰＤＵが生成され、ＣＳ共通部でＣＰＣＳ−ＰＤＵの誤りが検出され、廃棄されることになる。その結果本来の正常データへの影響が低減される。
【００９１】
【発明の効果】
以上説明したようにこの発明によれば、それぞれ複数の端末を収容した複数のＡＴＭノードを無線回線を介して接続したＡＴＭ通信システムにおいて、前記ＡＴＭノードは、前記無線回線を伝送される伝送フレームのフレーム同期を検出するフレーム同期検出手段と、前記フレーム同期検出手段を通過した伝送フレームに含まれるセルのセル同期を検出するセル同期検出手段と前記セル同期検出手段を通過したセルのヘッダのヘッダ誤りを検出するヘッダ誤り検出手段とを具備し、前記ヘッダ誤り検出手段は、前記セルのヘッダ誤りの有無を検出する検出手段と、前記検出手段によりヘッダ誤りが無いと検出された回数を計数する計数手段と、前記検出手段により前記セルのヘッダ誤りが検出されると、ヘッダ誤りが有りと検出されたセルおよびヘッダ誤りが無いと検出されたセルのいずれのセルも廃棄する保護モードに切り替え、前記計数手段の計数値が予め設定された所定値に達すると、ヘッダ誤りが検出されたセルのみ廃棄する通常モードに復帰するモード切換手段とを具備するように構成したので、回線フレームの品質が悪い場合に、セルヘッダに複数ビットの誤りを含むことが原因でＨＥＣによるエラーチェックができない誤セルがセルスイッチへ流入する確率を大幅に減少することができる。
【００９２】
また、前記セル同期検出手段でセル同期が検出できない場合は、該セル内のデータを廃棄して該セル同期を維持する空セルを挿入するように構成したので、回線フレームの品質が悪い場合に、セル同期の再同期までの間の正常なセルが大量に落ちてしまうことを防止することができる。
【００９３】
また、前記フレーム同期検出手段でフレーム同期が検出できない場合は、該フレーム内のデータを廃棄して該フレーム同期を維持する空フレームを挿入するように構成したので、回線フレームの品質が悪い場合に、フレーム同期の再同期までの間の正常なフレームが大量に落ちてしまうことを防止することができる。
【００９４】
また、前記フレーム同期検出手段にＢＩＰエラーを計数する計数手段を具備し、前記計数手段の計数値が予め設定した設定値を越えた場合は、該フレーム内のデータを廃棄して該フレーム同期を維持する空フレームを挿入するように構成したので、回線フレームの品質が悪い場合に、誤ったデータを含むフレームの通過を防止することができる。
【００９５】
また、この発明は、それぞれ複数の端末を収容した複数のＡＴＭノードを無線回線を介して接続し、前記ＡＴＭノードにおけるＡＴＭアダプテーションレイヤプロトコルとしてタイプ５を用いるＡＴＭ通信システムにおいて、前記ＡＴＭノードは、前記無線回線に送信する伝送フレームに挿入する空セルのヘッダに最終セルであることを示す識別子を挿入する挿入手段を具備して構成したので、空セルが有効セルに化けた誤挿入をＡＴＭアダプテーションレイヤにおいて速やかに検出して廃棄することにより、正常なデータの廃棄を低減することができる。
【図面の簡単な説明】
【図１】この発明に係わるＡＴＭ通信システムの一実施の形態の要部を示すブロック図である。
【図２】図１に示した構成における通常モードと保護モードとの間の遷移の状態を示す図である。
【図３】図１に示した構成における保護段数ｎと回線品質との関係を示した図である。
【図４】従来のＡＴＭ通信システムにおけるＡＡＬ５での動作を示す図である。
【図５】従来のＡＴＭ通信システムにおける正常時のノード間のデータ伝送の一例を示す図である。
【図６】従来のＡＴＭ通信システムにおける空セルが有効セルに化けた場合のノード間のデータ伝送の一例を示す図である。
【図７】図６に示したセル誤挿入がおきた場合のＡＡＬ５での影響を示す図である。
【図８】この発明の他の実施の形態におけるノード内部の構成を示す図である。
【図９】図８に示した実施の形態における正常時のノード間のデータ伝送の一例を示す図である。
【図１０】図８に示した実施の形態における空セルが有効セルに化けた場合のノード間のデータ伝送の一例を示す図である。
【図１１】図１０に示したようなセル誤挿入が起きたときのＡＡＬ５での動作を示す図である。
【図１２】ＡＴＭ通信システムの全体構成を示すブロック図である。
【図１３】図１２に示したＡＴＭノードの内部構成を示したブロック図である。
【図１４】図１２のＡＴＭ伝送システムでＡＴＭノード間で伝送される伝送フレームの構造を示す図である。
【図１５】図１２に示したＡＴＭ通信システムで採用されるユーザ網インタフェースにおけるセル構造を示す図である。
【図１６】図１２に示したＡＴＭ通信システムで採用されるネットワークノードインタフェースにおけるセル構造を示す図である。
【図１７】図１２に示したノードインタフェース部の受信部におけるエラーチェック構成を示すブロック図である。
【符号の説明】
１０、１０−１〜１０−４    ＡＴＭノード
１１    セルスイッチ
１２    装置制御部
１３−１〜１３−Ｍ    端末インタフェース部
１４−１〜１４−Ｎ    ノードインタフェース部
２０、２０−１−１〜２０−４−ｐ    端末
３０−１−１〜３０−４−１    無線装置
４０    ネットワーク管理装置
１００、２００    ノード
１１０    フレーム同期チェック部
１２０    セル同期チェック部
１３０    ヘッダ誤り制御部
１３１    ヘッダ誤り検出制御部
１３２    ヘッダ正常カウンタ
１３３    モード切換制御部
１４０    セルスイッチ
【図１】
0003859953.tif 000002
【図２】
0003859953.tif 000003
【図３】
0003859953.tif 000004
【図４】
0003859953.tif 000005
【図５】
0003859953.tif 000006
【図６】
0003859953.tif 000007
【図７】
0003859953.tif 000008
【図８】
0003859953.tif 000009
【図９】
0003859953.tif 000010
【図１０】
0003859953.tif 000011
【図１１】
0003859953.tif 000012
【図１２】
0003859953.tif 000013
【図１３】
0003859953.tif 000014
【図１４】
0003859953.tif 000015
【図１５】
0003859953.tif 000016
【図１６】
0003859953.tif 000017
【図１７】
0003859953.tif 000018